(57)【要約】【課題】  空気調和機において、主気流の吹出しの他に副気流の吹出しを可能にして室内環境の快適性を向上しつつ、副気流の吹出し状態を判り易く表示できるようにすること。【解決手段】  本発明の空気調和機は、調和空気を主気流として室内に吹出すための主気流吹出し口と、換気給気、清浄空気、循環用空気などの副気流を室内に吹出すための副気流吹出し口３と、運転状態を表示する表示装置４とを有する。この表示装置４は発光源７−２が発する光を副気流吹出し口４で表示するように導く導光部材１３を有する。【選択図】  図３
2005156090.tif 000002
【特許請求の範囲】
【請求項１】
調和空気を主気流として室内に吹出すための主気流吹出し口と、
換気給気、清浄空気、循環用空気などの副気流を室内に吹出すための副気流吹出し口と、
運転状態を表示する表示装置とを有する室内機を備えた空気調和機において、
前記表示装置は発光源が発する光を前記副気流吹出し口に導く導光部材を有することを特徴とする空気調和機。
【請求項２】
請求項１に記載の空気調和機において、前記表示装置は、主発光源および主表示部を有して前記主気流吹出し口の吹出し状態を表示する主表示装置と、副発光源および副表示部を有して前記副気流吹出し口の吹出し状態を表示する副表示装置とを備え、前記副表示部を副気流吹出し口部に設けたことを特徴とする空気調和機。
【請求項３】
請求項２に記載の空気調和機において、前記主発光源と前記副発光源とを同じ基板に搭載し、前記副発光源が発する光を前記副表示部に導く導光部材を設けたことを特徴とする空気調和機。
【請求項４】
請求項３に記載の空気調和機において、前記導光部材の端面を前記副気流吹出し口の内壁面に望ませて前記副表示部とすると共に前記副気流吹出し口の内壁面の一部を構成させたことを特徴とする空気調和機。
【請求項５】
請求項３または４に記載の空気調和機において、前記副気流吹出し口と前記主気流吹出し口とを上下に隣接して配置すると共に、前記基板を前記副気流吹出し口の上方に配置し、前記主発光源と前記副発光源とを隣接して前記基板に搭載し、前記導光部材を上方から下方へ延びるように形成したことを特徴とする空気調和機。
【請求項６】
請求項４に記載の空気調和機において、前記副気流吹出し口の表面に前記導光部材の端面から発する光を反射する塗装膜を形成したことを特徴とする空気調和機。
【請求項７】
請求項３に記載の空気調和機において、前記副気流吹出し口を形成する副気流吹出し口部材を前記基板の前方の位置まで延長すると共に光非透過性の材料で形成し、前記導光部材を前記副気流吹出し口部材に装着し、前記副気流吹出し口部材の一部で前記導光部材の前面および側面を覆ったことを特徴とする空気調和機。
【請求項８】
請求項２から７の何れかに記載の空気調和機において、前記副発光源を青色系又は緑色系の発光色としたことを特徴とする空気調和機。
【請求項９】
請求項２から８の何れかに記載の空気調和機において、前記副発光源の光を導いてその端面を前記副表示部とする導光部材を設け、前記導光部材の幅が入光側から出光側に拡大するように形成したことを特徴とする空気調和機。
【発明の詳細な説明】
【技術分野】
【０００１】
本発明は、空気調和機に係り、特に換気給気、清浄空気、循環用空気などの副気流を室内に吹出すための副気流吹出し口を備えた空気調和機に好適なものである。
【背景技術】
【０００２】
近年、空気調和機の運転機能として、様々な機能が追加されてきている。例えば、冷房、暖房は言うに及ばず、除湿、カビ条件監視、フィルター汚れモニター、セルフクリーニング運転、換気排気運転等、種々の運転機能が実現されている。これらの運転状態は空気調和機を単に運転するだけではなかなか区別がつけにくく、これらの運転状態を判りやすく表示することが必要である。これらの表示としては、一般的に複数の発光源と表示部を設け、運転状態に応じて特定の発光源を発光させ、対応する文字や記号を附した表示部をその照明により明るさや色を変化させて運転状態を示すようにしている。
【０００３】
従来の空気調和機としては、特開２００１−８２７８８号公報（特許文献１）に示されたものがある（従来技術１）。
【０００４】
この空気調和機は、熱交換器により空調された空気を室内に送風する送風口と、空気調和機の運転状態等を光表示するための表示ユニットを設けている。この表示ユニットは、送風口の上方に配置され、その前面下部から発光源の発光を外部に直接表示を行なうとともに、上面からプリズムを介して上方向に導き前面グリルの中央部で光表示するようになっている。このプリズムは表示ユニットの上部と前面グリルの中央部との間に介在され且つ前面グリルの背面に延設して備えられている。このプリズムは表示ユニットの上方向に光表示する発光を受け、前面グリルの中央部に開けた開口から突出して表示するようになっている。プリズムは導光部材本体と遮光カバーとから構成されている。また、表示ユニットは箱状ユニット本体を備えており、その前面の下部と上面の中央に横方向に並べられた複数の窓を設けている。この箱状ユニット本体の内部にはプリント基板を取付けており、この下部および上部に複数のＬＥＤを固定支持するようになっている。これらＬＥＤは空気調和機の制御回路等に接続してあり、空気調和機を冷房運転、暖房運転等するとき青、赤等の光を発光する発光源である。
【０００５】
一方、室内環境の快適性をより一層向上するために、調和空気を主気流として室内に吹出すための主気流吹出し口と、換気給気、清浄空気、循環用空気などの副気流を室内に吹出すための副気流吹出し口と、運転状態を表示する表示装置とを有する室内機を備えた空気調和機が最近になって案出された（従来技術２）。
【０００６】
【特許文献１】特開２００１−８２７８８号公報
【発明の開示】
【発明が解決しようとする課題】
【０００７】
上述した従来技術１の空気調和機では、種々の運転状態を上下の異なる場所で表示することができるようになっているが、熱交換器により空調された空気を室内に送風する送風口のみを備えているものであって、一つの送風口から吹出される気流に係る運転状態の表示を行なうことができるに過ぎないものであった。換言すれば、従来技術１の空気調和機には、換気給気、清浄空気、循環用空気などの副送風口を前記送風口とは別に設け、その副送風口から室内に吹出すことにより室内環境の快適性を向上する空気調和機について開示されておらず、従って、換気給気、清浄空気、循環用空気などを副送風口から送風する運転状態を表示することについても何等開示されていなかった。
【０００８】
一方、上述した従来技術２の空気調和機では、副気流吹出し口を備えることにより室内環境の快適性を格段に向上することができるが、冷房、暖房等の運転時に主気流吹出し口から吹出される風量に比べて少ない風量が副気流吹出し口から吹出される。このため、その副気流吹出し口から吹出される運転状態の表示が必要となり、これをどのように判りやすく表示するかが課題であった。
【０００９】
本発明の目的は、主気流の吹出しの他に副気流の吹出しを可能にして室内環境の快適性を向上しつつ、副気流の吹出し状態を判り易く表示できる空気調和機を提供することにある。
【課題を解決するための手段】
【００１０】
前記目的を達成するために、本発明は、調和空気を主気流として室内に吹出すための主気流吹出し口と、換気給気、清浄空気、循環用空気などの副気流を室内に吹出すための副気流吹出し口と、運転状態を表示する表示装置とを有する室内機を備えた空気調和機において、前記表示装置は発光源が発する光を前記副気流吹出し口に導く導光部材を有する構成にしたことにある。
【００１１】
前記本発明において、より好ましくは次の構成としたことにある。
（１）前記表示装置は、主発光源および主表示部を有して前記主気流吹出し口の吹出し状態を表示する主表示装置と、副発光源および副表示部を有して前記副気流吹出し口の吹出し状態を表示する副表示装置とを備え、前記副表示部を副気流吹出し口部に設けたこと。
（２）前記主発光源と前記副発光源とを同じ基板に搭載し、前記副発光源が発する光を前記副表示部に導く導光部材を設けたこと。
（３）前記導光部材の端面を前記副気流吹出し口の内壁面に望ませて前記副表示部とすると共に前記副気流吹出し口の内壁面の一部を構成させたこと。
（４）前記副気流吹出し口と前記主気流吹出し口とを上下に隣接して配置すると共に、前記基板を前記副気流吹出し口の上方に配置し、前記主発光源と前記副発光源とを隣接して前記基板に搭載し、前記導光部材を上方から下方へ延びるように形成したこと。
（５）前記副気流吹出し口の表面に前記導光部材の端面から発する光を反射する塗装膜を形成したこと。
（６）前記副気流吹出し口を形成する副気流吹出し口部材を前記基板の前方の位置まで延長すると共に光非透過性の材料で形成し、前記導光部材を前記副気流吹出し口部材に装着し、前記副気流吹出し口部材の一部で前記導光部材の前面および側面を覆ったこと。
（７）前記副発光源を青色系又は緑色系の発光色としたこと。
（８）前記副発光源の光を導いてその端面を前記副表示部とする導光部材を設け、前記導光部材の幅が入光側から出光側に拡大するように形成したこと。
【発明の効果】
【００１２】
本発明の空気調和機よれば、発光源が発する光を前記副気流吹出し口に導く導光部材を有する表示装置としたので、主気流の吹出しの他に副気流の吹出しを可能にして室内環境の快適性を向上しつつ、副気流の吹出し状態を判り易く表示できる。
【発明を実施するための最良の形態】
【００１３】
以下、本発明における一実施例を図面に基づいて説明する。
【００１４】
まず、空気調和機の全体に関して図１および図２を参照しながら説明する。図１は本発明の一実施例を示す空気調和機の壁掛型室内機の外観斜視図、図２は同室内機の中央縦断面図である。
【００１５】
室内機１は前部筐体１０および後部筐体１１を備えて構成され、空調する部屋の壁面上部などに設置される。この室内機１には、室外機が冷媒配管、電気配線、信号配線などを介して接続されている。また、この室内機１は、調和空気を主気流として室内に吹出すための主気流吹出し口２と、換気給気、清浄空気、循環用空気などの副気流を室内に吹出すための副気流吹出し口３と、発光源７−１、７−２（図４参照）および表示部１６−２、１３−８（図４参照）により運転状態を表示する表示装置４とを有している。
【００１６】
なお、前部筐体１０には、化粧パネル１２がヒンジ機構等により上部を回転軸として回動可能で且つ着脱可能に取付けられている。これによって、フィルターの掃除などのメンテナンス時にヒンジ部を中心に化粧パネル１２を開閉操作ができると共に、必要に応じて化粧パネル１２を取外すことができる。化粧パネル１２は前部筐体１０の一部を構成するものである。
【００１７】
主気流吹出し口２は室内機１の下部に形成され、室内機１の横幅に近い幅の横長に形成されている。なお、主気流吹出し口２の横幅は貫流ファン６の横幅と同等の幅に形成されていてもよい。主気流吹出し口２には、複数の横風向板２ａ、２ｂが主気流吹出し口２を開閉するように設けられている。横風向板２ａ、２ｂは、主気流吹出し口２から主気流を吹出す際に主気流吹出し口２を開口すると共に、その運転モードによっては常に回動されるように動作する。
【００１８】
室内機１の内部には、貫流ファン６、熱交換器５および露受皿１８が設置されている。貫流ファン６は室内機１内の中央部に横長に延びて設置されている。貫流ファン６はファンモータにより駆動される。熱交換器５は貫流ファン６の吸込み側（上側）にほぼ同じ幅で設置されている。熱交換器５の前側下端部の下方には露受皿１８が設置されている。露受皿１８は貫流ファン６の前側ノーズを兼ねている。
【００１９】
係る構成において、室内空気は、貫流ファン６が運転されることにより、室内機１の上部の吸込口１７から吸込まれ、空調運転モードに応じて熱交換器５で冷却、加熱、除湿などが行なわれ、貫流ファン６を通って主気流吹出し口２から吹出される。このようにして、室内は冷房、暖房、除湿などの空調が行なわれる。
【００２０】
副気流吹出し口３は主気流吹出し口２の中央部上側に設けられている。これによって、換気給気運転又は空気清浄運転などにおける副気流吹出し口３から吹出される副気流を主気流吹出し口２から吹出される主気流に乗せて効果的に遠くまで送風することができる。従って、部屋全体を迅速に換気給気又は空気清浄することができる。また、副気流吹出し口３は、主気流吹出し口２の中央部上側に隣接して、ほぼ平行に且つ主気流吹出し口２の横幅より狭く設けられている。これによって、主気流に比較して風量が少ない換気給気、清浄空気などの副気流をより効果的に主気流に乗せて送風することができる。
【００２１】
なお、副気流吹出し口３は、化粧パネル１２の下部に取付けられた副吹出し口部材１４の下部に設けられている。換気給気運転、空気清浄運転または空気循環運転を行なうときに、この副気流吹出し口３から副気流が吹出される。副気流吹出し口３は主気流吹出し口２の横幅より狭く形成されている。
【００２２】
室内機１内の左右一側端部には、換気ユニットが設置されている。この換気ユニットは、室内空気を取り込んで換気ダクトを介して室外に排出したり（換気排気運転）、室内空気を取り込んで副気流通路９を通して副気流吹出し口３から吹出したり（空気循環運転）、室内空気を取り込んで除塵した後に副気流通路９を通して副気流吹出し口３から吹出したり（空気清浄運転）、室外空気を換気ダクトを介して取り込んで副気流通路９を通して副気流吹出し口３から吹出したり（換気給気）するように構成されている。この換気ユニットの運転は、空気調和機の制御装置により制御され、主たる運転と併行に行なうことも、単独で行なうこともできるように構成されている。
【００２３】
室内機１には、表示装置４の主表示部１６−２および副表示部１３−８が前方から視認可能に設けられている。主表示部１６−２は室内機１の前面中央部に配置された主表示部材１６に形成されている。主表示部材１６は副吹出し口部材１４の前面上部に装着されている。従って、主表示部１６−２は、主気流吹出し口２の上方で、さらに副気流吹出し口３の上方の中央部に位置されることとなる。副表示部１３−８は副気流吹出し口３に設置され、具体的には副気流吹出し口３の内壁面の上面に設置されている。
【００２４】
次に、副気流吹出し口３および表示装置４に関して図３から図６を参照しながらさらに具体的に説明する。図３は本実施例の空気調和機における副気流吹出し口および表示装置の部分の縦断面図、図４は同表示装置の分解斜視図、図５は同表示装置における主表示部材の正面図、図６は同表示装置に用いる導光部材の斜視図である。図６において、（ａ）は正面側斜視図、（ｂ）は背面側斜視図である。
【００２５】
図３および図４に示すように、副気流吹出し口３は副吹出し口部材１４の下部に横長に設けられている。副気流吹出し口３は副吹出し口部材１４を前後に貫通して形成され、副気流通路９に連通されている。副気流吹出し口３の内壁の左右側面および上面は、拡開するように傾斜して形成されている。副気流吹出し口３の表面には導光部材１３の端面１３−８から発する光を反射するように塗装膜が形成されている。これによって、導光部材１３の端面１３−８の発光と共にその周辺部における塗装膜が反射して表示効果を高めることができる。特に、副気流吹出し口３の内壁上面が拡開して傾斜していることにより、前方下方から塗装膜による反射部分を容易に視認することができる。副吹出し口部材１４は光非透過性の材料で形成されている。
【００２６】
表示装置４は発光源基板８、発光源７、発光源基板カバー１５、副吹出し口部材１４、主表示部材１６、主表示部材１６の一部である主表示部１６−２、導光部材１３、および導光部材１３の端面である副表示部１３−８を備えて構成されている。
【００２７】
発光源基板８は、副吹出し口部材１４の上部後方（換言すれば、主表示部材１６および導光部材１３の後方）に副吹出し口部材１４と分離して配置されると共に、主表示部材１６に対して平行に横長に設置されている。そして、発光源基板８は、収納性を考慮して、露受皿１８（図２参照）の前方のデッドスペースを利用して配置されている。なお、発光源基板８は電気品箱を介して後部筐体１１に固定され、制御装置に接続されている。
【００２８】
発光源基板８には複数の発光源７が水平方向に並べられて搭載されている。発光源７を構成する主発光源７−１および副発光源７−２は同一の発光源基板８に搭載されている。これによって、別の基板に搭載されるものに比較して、簡単な構造で安価なものとすることができる。主発光源７−１および副発光源７−２は隣接して配置され、具体的には、副発光源７−２が中央に配置され、その両側に複数の主発光源７−１が並ぶように配置されている。各発光源７は発光源基板８の前面側に搭載されている。
【００２９】
発光源基板８および発光源７は、化粧パネル１２が開かれた際の電気的安全性を確保するため、絶縁性材料で形成された発光源基板カバー１５でカバーされている。各発光源７は、発光源基板カバー１５に形成された穴１５−１、１５−２内に収納され、頭部が前方に露出するようになっている。これにより、各発光源７から前方に確実に出光される。なお、主発光源７−１は穴１５−１内に配置され、副発光源７−２は穴１５−２内に配置されている。
【００３０】
主表示部材１６は、合成樹脂と半透明フィルムとを重ねて構成され、横長に形成されている。この主表示部材１６は、副吹出し口部材１４の前面上部に装着され、室内機１前面の中央下部の極めて視認性の良好な場所に設置されている。副吹出し口部材１４の主発光源７−１に対向する位置には透孔１４−３が形成されている。この透孔１４−３の前方に位置する主表示部材１６の部分が主表示部１６−２を構成している。主表示部１６−２は、異なる運転機能を表示するように設けられ、図５に示すように、カビ見張表示部、空気見張表示部、運転表示部、タイマー表示部、給排気表示部、オートクリーン表示部を有している。なお、運転表示部およびタイマー表示部は、発光源７は異なるが一つの表示部の左右に表示されるようになっている。
【００３１】
主表示部材１６は、上下に８つ形成された係止片１６−１により副吹出し口部材１４の係止部１４−１に着脱可能に係止されている。
【００３２】
導光部材１３は、プリズム板で形成され、副吹出し口部材１４の背面に上下に延びるように装着されている。導光部材１３の上端面１３−３は副発光源７−２の前方に位置され、副発光源７−２から導入された光を下方に反射する反射面１３−３を構成している。また、導光部材１３の下端面１３−８は副気流吹出し口３の内壁上面の一部を形成すると共に、反射面１３−３から反射されてきた光を前方へ屈曲して出力する副表示部１３−８を構成している。
【００３３】
導光部材１３は、導光機能を阻害しない位置に設けられた係止片１３−１を副吹出し口部材１４の係止部１４―２に係止することにより、副吹出し口部材１４に装着されている。導光部材１３の上部（入光部）の両側面および前面は、光非透過性の副吹出し口部材１４の門型遮蔽部１４−４およびその前面部で覆われている。これによって、副発光源７−２から入射された光は、導光部材１３の両側面および前面から外部へ漏れることが防止され、反射面１３−３で反射された光が確実に下方に導かれる。
【００３４】
導光部材１３は、図６に示すように、前後の平行な二平面１３−４、１３−５と、平行二平面１３−４、１３−５に交差する反射面１３−３と、平行二平面１３−４、１３−５および反射面１３−３に交差する両側面１３−６、１３−７と、平行二平面１３−４、１３−５に交差し反射面１３−３の対面に位置する出光端面の副表示部１３−８とを有している。ここで、平面１３−４の上部が受光面１３−２となる。また、副表示部１３−８の面積が反射面１３−３より広く横幅が長くなるように、平行二平面１３−４、１３−５が広がり部１３−９となっている。
【００３５】
発光源７−２からの光は、受光面１３−２から導光部材１３内に入り、反射面１３−３で反射されて副表示部１３−８の方向に導かれ、副表示部１３−８から導光部材１３を出て、周囲を照明する。この時、反射面１３−３で反射された光は、広がり部１３−９に達すると、光路の広がった部分に広がり、広がった副表示部１３−８から出光され、広い範囲を照明して運転状態を報せることができる。また、副表示部１３−８から出光し周囲を照明する光は、導光部材１３内で全反射した光が大部分であり、全反射以外の光は微々たる量となり、導光板１３の導光機能を左右するのは全反射光だけである。側反射面１３−６、１３−７で全反射し広がり部１３−９に達する光は導光板１３の屈折率から生じる制限のため、導光板１３の屈折の臨界角の余角以上の外側には広がらない。このため、導光板１３の末広がりの肩部に設けた係止片１３−１は、導光板１３の導光機能を阻害しない。
【００３６】
導光部材１３は、透明なアクリル樹脂、ポリカーボネート樹脂、ポリスチレン樹脂、アクリロニトリルスチレン樹脂等で作製されている。透明度９１％以上の無色透明のアクリル樹脂を用いて射出成形で導光部材１３を作成したところ、屈折率は１．４９、臨界角は４２度であり、良好な表示を行なえることが確認できた。
【００３７】
このため、係止片１３−１、反射面１３−３、広がり部１３−９、副表示部１３−８の複雑な形状も精密に再現でき、製造コストを低減できる。
【００３８】
導光部材１３の副表示部１３−８は、副気流吹出し口３の中央部の内面上部に露出し内壁の一部を構成し、副気流に対する抵抗とならず、出力した光で副気流吹出し口３の表面を照明する。
【００３９】
また、複数の発光源７の内の任意の発光源７−１に対応する副吹出し口部材１４の位置に透孔１４−３が設けられ、更に対応する主表示部１６に文字、記号等が記載され、該発光源７−１が運転状態に応じて発光すると、主表示部１６が発光源７−１に近接して設けられているので、その光が、透孔１４―３を通して主表示部１６を内方から照明し、記載された文字、記号等の明るさが変化して運転状態を報せる。発光源基板カバー１５は、発光源７から放射される光が対応しない他の主表示部１６へ漏れるのを防いでいる。
【００４０】
また、複数の発光源７の内の副発光源７−２は青色又は緑色の発光源が用いられている。この発光源７−２に対しては、対応する副吹出し口部材１４の位置に透孔が設けられず、代わりに導光部材１３の受光面１３−２が対峙している。この発光源７−２は、外気からの給気、室内空気清浄運転、及び室内空気循環運転を行なう時に発光される。発光源７−２が発光すると、その光は導光部材１３の受光面部１３−２を通して導光部材１３の中に入り、反射面１３−３で反射して副表示部１３−８に導かれ、副表示部１３−８を明るくするとともに、副気流吹出し口３に出て、副気流吹出し口３の中央部の周囲を照明する。副気流吹出し口３の中央部が明るくなるため、副気流吹出し口３が吹出し運転状態であることがより一層わかりやすいものとなる。この時、副吹出し口部材１４が光非透過性で、導光部材１３と主表示部１６をともに係止しているので、高い精度で隙間を小さくでき、導光部材１３から漏れ出す光が有っても副吹出し口部材１４で遮光され前面の主表示部１６に漏れ出すことは無い。
【００４１】
このように構成されているので、外気からの給気及び室内空気清浄運転を行なうと、副発光源７−２が点灯し、その光は導光部材１３の副表示部１３−８から出光し、副吹出し口３付近の副気流通路９の内部を照明する。これにより、副気流の風量が主気流に比べて格段に少なく、体感上は副気流の風も音も温度も認識できないにも拘わらず、副気流吹出し口３が青色又は緑色に明るくなるので、換気給気運転又は空気清浄運転時に清潔感の有る青色系又は緑色系の光で運転を確認でき、副気流の換気給気運転又は空気清浄運転効果を視覚的に高めることができ、換気、空気清浄の清潔感と冷房、暖房、除湿の快適さとが相俟って、より高い快適性を享受できる。
【００４２】
また、導光部材１３と主表示部１６が同一の副気流吹出し口ピース１４に係止されているので、主表示部１６と導光部材１３とが高い位置精度で固定され、各発光源７からの光を導光部材１３および主表示部材１６の何れにも確実に出光することができる。導光部材の副表示部１３−８が副吹出し口部材１４の副気流通路９の内壁として突出することなく露出させているので、導光部材１３の副表示部１３−８から出た光が無駄なく副気流吹出し口３内部を照明することができると共に、導光部材１３が副気流の抵抗になることがない。
【００４３】
以上に詳述したように、主気流吹出し口２の他に、換気給気運転や空気清浄運転用などの副気流吹出し口３を有する空気調和機において、副気流送風の表示部１３−８を副気流吹出し口３の内部に設ける。この様にすることにより、室内に新鮮な外気を導入しているとき、室内空気を循環させて空気清浄しているときなどに、副気流吹出し口３の中に光で表示されるので、光の色や明るさの変化で、風量が少ない副気流でも、主気流の風の流れや、音に邪魔されることなく、容易に、外気導入中、または室内空気清浄中などであることを文字や記号が無くても、表示する場所で直感的に、確実に確認できる。
【００４４】
また、複数の表示用発光源７８を同一基板に搭載し、その中の副発光源７−２の光を導光部材１３で副表示部１３−８に導光するとともに、他の発光源７−１に近い室内側外面に主表示部１６−２を設け、発光源７−１の光で主表示部１６−２を内方から照射して機体の状態を室内から確認可能にする。この様にすることにより、表示用発光源７の発光源基板８への取付けを全部同一にできるので、取付け方法が標準化されて製造コストを低減でき、かつ、副気流吹出し口３が発光源７−２から導光部材１３を通って照射される光で明るさが変化するため、副気流が送風中であることを直感的に確実に確認できる。
【００４５】
また、導光部材１３を発光源７−２と主表示部材１６との間に設け、導光部材１３の室内側面を光非透過性の部材で覆っている。この様にすることにより、任意の主発光源７−１に対応する主表示部１６−２に、副発光源７−２の光が漏れることが無くなり、表示の確実性、信頼性が増す。
【００４６】
また、副発光源７−２を青色系又は緑色系の発光色としている。この様にすることにより、換気給気運転又は空気清浄運転時に清潔感の有る青色系又は緑色系の光で運転を確認でき、副気流の換気給気運転又は空気清浄運転効果を視覚的に高めることができる。
【００４７】
また、導光部材１３と主表示部材１６を副吹出し口部材１４に係止するとともに、導光部材１３の副表示部１３−８を副気流吹出し口３の内壁の一部とする。この様にすることにより、主表示部材１６と導光部材１３が副吹出し口部材１４に直接精度良く固定され、導光部材１３の副表示部１３−８が副吹出し口部材１４の副気流吹出し口３の内壁として突出することなく露出させることが簡単にでき、導光部材１３の副表示部１３から出た光が無駄なく、副気流吹出し口３内部を照明し、かつ、副気流通路の副気流の抵抗になることがない。
【００４８】
また、副気流吹出し口３の内壁の一部である導光部材１３の副表示部１３−８の位置を副気流吹出し口３の上面の中央部とする。この様にすることにより、副気流送風時に副気流吹出し口の内部中央部が照明されるので、副気流送風をより確実に認識できる。
【００４９】
更にまた、導光部材１３が少なくとも１つ以上の受光部１３−２、反射面１３−３及び出光部１３−８を有し、出光部１３−８が受光部１３−２、反射面１３−３の何れの面積よりも広く、広がりの片側拡大角が導光部材の屈折の臨界角の余角以上である広がり部１３−９の外側に導光部材１３を副吹出し口部材１４に係止する係止片１３−１を設けている。この様にすることにより、副発光源７−２の光は受光部１３−２から導光部材１３に入り、反射面１３−３で反射され、副表示部１３−８から副気流吹出し口３内に出光する。この時、側反射面で反射した光は副表示部１３−８に先立つ広がり部１３−９で広がり、拡大された副表示部１３−８から副気流吹出し口３内に出光され、広い範囲を照明して運転状態を報せることができるとともに、この広がる光は、側反射面で反射した光であるため、片側拡大角より外側には広がらず、広がり部の外側に設けた係止片１３−１は導光部材１３の導光機能を阻害しない。これにより、他の係止具を使用すること無しに、導光部材１３を副吹出し口部材１４に係止できるので、製造コストを低減できる。
【図面の簡単な説明】
【００５０】
【図１】本発明の一実施例を示す空気調和機の壁掛型室内機の外観斜視図である。
【図２】図１の室内機の中央縦断面図である。
【図３】図１の室内機の副気流吹出し口および表示装置の部分の縦断面図である。
【図４】図３の表示装置の分解斜視図である。
【図５】図３の表示装置における主表示部材の正面図である。
【図６】図３の表示装置に用いる導光部材の斜視図である。
【符号の説明】
【００５１】
１…室内機本体、２…主気流吹出し口、３…副気流吹出し口、４…表示装置、５…熱交換器、６…貫流ファン、７…発光源、７−１…主発光源、７−２…副発光源、８…発光源基板、９…副気流通路、１０…前部筐体、１１…後部筐体、１２…化粧パネル、１３…導光部材、１３−１…導光部材の係止片、１３−２…受光部（受光面）、１３−３…反射面、１３−４…受光部を含む平面、１３−５…受光部を含む平面と平行な対面、１３−６、１３−７…両側面、１３−８…副表示部、１３−９…広がり部、１４…副吹出し口部材、１４−１、１４−２…副吹出し口部材の係止部、１５…発光源基板カバー、１６…主表示部材、１６−２…主表示部、１７…吸込口、１８…露受皿。
【図１】
2005156090.tif 000003
【図２】
2005156090.tif 000004
【図３】
2005156090.tif 000005
【図４】
2005156090.tif 000006
【図５】
2005156090.tif 000007
【図６】
2005156090.tif 000008